(57)【特許請求の範囲】
【請求項１】
吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部とを備え、この水タンク部は、前記本体ケースの側面の水タンク着脱部に、横方向から前記水タンク部の下面を中心に前記水タンク部の上面を回転することにより着脱可能に設けると共に、下面に蓋部を有する略箱形状の容器部と、前記蓋部に設けた弁部と、前記容器部を支える第１の支持部と、第２の支持部とから形成し、この第２の支持部は、前記容器部に出没自在に設け、前記水タンク部を前記本体ケースから外し前記容器部の前記蓋部を上方にすると前記第２の支持部が自動的に出現し、その状態で水平面に置くと、前記第１の支持部と前記第２の支持部とによって前記水タンク部が自立する構成とした加湿装置。
【請求項２】
前記第１の支持部は、前記水タンク部を前記水タンク着脱部に取り付けると前記本体ケースの一部となる構成とした請求項１に記載の加湿装置。
【請求項３】
前記第１の支持部は、略平板形状となる構成とした請求項１または２に記載の加湿装置。
【請求項４】
前記第１の支持部は、水平断面形状が略Ｌ字形状となる構成とした請求項１または２に記載の加湿装置。
【請求項５】
前記第２の支持部は、平板部と、軸受部とから形成し、この軸受部は、前記平板部の一端側に設け、前記水タンク部の上部には、前記軸受部に回転自在に嵌る軸部と、当て部とを設け、前記水タンク部を前記本体ケースから外し前記容器部の前記蓋部を上方にして水平面に置くと、前記平板部の前記一端側が、前記当て部に当たる構成とした請求項１から４のいずれかに記載の加湿装置。
【請求項６】
前記平板部には、重り部を設け、この重り部は、前記平板部の中央部に位置する構成とした請求項５に記載の加湿装置。
【請求項７】
前記平板部は、第１の平板部と第２の平板部とから形成し、前記第１の平板部と前記第２の平板部との間には、重り部を設けた構成とした請求項５に記載の加湿装置。
【請求項８】
前記重り部と前記軸受部との距離は、前記平板部の他端側と前記軸受部との距離より大きい構成とした請求項６または７のいずれかに記載の加湿装置。
【請求項９】
前記水タンク部の前記軸部は、外方に突出し、前記第２の支持部の前記軸受部は、内方に開口すると共に、前記当て部は、外方が上がるように傾斜した構成とした請求項５から８のいずれかに記載の加湿装置。
【請求項１０】
前記第２の支持部の材質は、ＰＰで構成とした請求項１から８のいずれかに記載の加湿装置。
【請求項１１】
前記水タンク部を前記本体ケースに取り付けると、前記第２の支持部は、前記水タンク着脱部の上部に当たることにより、前記軸受部を中心に回転し、元にもどる請求項５、８、９のいずれかに記載の加湿装置。
【発明の詳細な説明】
【技術分野】
【０００１】
本発明は、空気を加湿することのできる加湿装置に関する。
【背景技術】
【０００２】
従来のこの種の加湿装置の構成は以下のようになっていた。
【０００３】
すなわち、吸気口と排気口を有する本体ケースと、この本体ケース内に設けられた加湿手段と、吸気口から加湿手段を介し、排気口へ空気を送風する送風手段と、加湿手段に水を供給する水タンク部とを備え、この水タンク部は、下面に蓋部を有する略箱形状の容器部と、蓋部設けた弁部とから形成し、水タンク部は、本体ケースの側面の水タンク着脱部に、横方向から水タンク部の下面を中心に水タンク部の上面を回転することにより着脱可能に設けた構成となっていた。（例えば、これに類似する先行文献は下記特許文献１に記載されている。）。
【先行技術文献】
【特許文献】
【０００４】
【特許文献１】特開２００９−１７４７９０号公報
【発明の概要】
【発明が解決しようとする課題】
【０００５】
上記従来例における課題は、給水時の作業性が悪かった。
【０００６】
従来の物は水タンク部が本体ケース側面に設けられており、横方向から着脱可能な構成となっているが、着脱の際には水タンク下面を中心に水タンク上面を回転させるため、上面の形状を水平な平面にすることができず、回転軌跡に沿った傾斜した形状となっている。
【０００７】
すなわち、水タンク部を本体ケースから取り外し、給水時には水タンク上面が支持部となるため、水タンクの自立ができない。つまり、水タンクを転倒しないように手で支える必要があり作業性が悪かった。
【０００８】
そこで本発明は、給水時の作業性向上を目的とするものである。
【課題を解決するための手段】
【０００９】
そしてこの目的を達成するために本発明は、吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部とを備え、この水タンク部は、下面に蓋部を有する略箱形状の容器部と、前記蓋部に設けた前記弁部と、前記容器部を支える第１の支持部と、第２の支持部とから形成し、前記水タンク部は、前記本体ケースの側面の水タンク着脱部に、横方向から前記水タンク部の前記下面を中心に前記水タンク部の上面を回転することにより着脱可能に設け、前記第２の支持部は、前記容器部に出没自在に設け、前記水タンク部を前記本体ケースから外し前記容器部の前記蓋部を上方にすると前記第２の支持部が自動的に出現し、その状態で水平面に置くと、前記第１の支持部と前記第２の支持部とによって前記水タンク部が自立する構成としたものであり、これにより、初期の目的を達成するものである。
【発明の効果】
【００１０】
以上のように本発明は、吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部とを備え、この水タンク部は、下面に蓋部を有する略箱形状の容器部と、前記蓋部に設けた前記弁部と、前記容器部を支える第１の支持部と、第２の支持部とから形成し、前記水タンク部は、前記本体ケースの側面の水タンク着脱部に、横方向から前記水タンク部の前記下面を中心に前記水タンク部の上面を回転することにより着脱可能に設け、前記第２の支持部は、前記容器部に出没自在に設け、前記水タンク部を前記本体ケースから外し前記容器部の前記蓋部を上方にすると前記第２の支持部が自動的に出現し、その状態で水平面に置くと、前記第１の支持部と前記第２の支持部とによって前記水タンク部が自立する構成としたものであり、給水時の作業性向上ができるものである。
【００１１】
すなわち、第２の支持部は、容器部に出没自在に設け、水タンク部を本体ケースから外し容器部の蓋部を上方にすると第２の支持部が自動的に出現し、その状態で水平面に置くと、第１の支持部と第２の支持部とによって水タンク部が自立する構成となっている。
【００１２】
つまり、給水時、蓋部を上方にすることで、第２の支持部が自動的に出現し、この状態で水平面に置くと、水タンク部が自立するので、給水時に水タンクを手で支える必要が無くなる。
【００１３】
これらの結果により、給水時の作業性向上ができるものである。
【図面の簡単な説明】
【００１４】
【図１】本発明の実施の形態１の加湿機能付空気清浄装置の概略図
【図２】同加湿機能付空気清浄装置の概略断面を示す図
【図３】同加湿機能付空気清浄装置の加湿手段の概略断面を示す図
【図４】同加湿機能付空気清浄装置の加湿手段の概略図
【図５】同加湿機能付空気清浄装置の水タンク部の概略図
【図６】同加湿機能付空気清浄装置の水タンク部の概略図
【図７】同加湿機能付空気清浄装置の水タンク部の当て部の概略拡大図
【発明を実施するための形態】
【００１５】
以下、本実施形態を添付図面を用いて説明する。
【００１６】
（実施の形態１）
図１から図４に示すように、本実施形態の加湿機能付空気清浄装置１は、吸気口２と排気口３を有する本体ケース４と、この本体ケース４内に設けた空気清浄手段５と、この空気清浄手段５の下流側に加湿手段６とを備えている。
【００１７】
吸気口２は、本体ケース４の両側面、および本体ケース４の前面下部とに位置し、排気口３は、本体ケース４の上面に位置している。
【００１８】
加湿手段６は、放湿部分と水供給部分と、この放湿部分を回転させる回転手段７とから形成されている。放湿部分は円板状の加湿フィルター部８と、この加湿フィルター部８を固定する略円環形状の加湿フィルター枠部９とから形成されており、加湿フィルター枠部９は外周部に給水部１０を備え、中央部に回転軸部１１を備えている。水供給部分は、天面が開口した略横長箱形状の水槽１２と、この水槽１２に一定量の水を供給する水タンク部１３とから形成している。この水タンク部１３は、略横長箱形状の水槽１２の一方側短手辺部側に位置し、略縦長箱形状で下面に弁部（図示せず）を備えており、この弁部から水タンク部１３内の水を水槽１２に供給するものである。
【００１９】
加湿手段６と排気口３との間の風路には、送風手段１４を設けている。この送風手段１４によって本体の吸気口２から吸い込まれた空気は、空気清浄手段５、加湿フィルター部８を介して、排気口３から空気清浄、および加湿された空気が室内へ排気される。
【００２０】
本実施形態における特徴は、水タンク部１３にある。この水タンク部１３は、図５から図７に示すように、容器部１５に第１の支持部１６と、第２の支持部１７を備え、水タンク部１３を本体ケース４から外し容器部１５の蓋部１９を上方に向けると、第２の支持部１７は、自動的に出現し、この状態で水平面に置くと、これらの第１の支持部１６と第２の支持部１７とによって水タンク部１３が自立する点である。
【００２１】
具体的には、この水タンク部１３は、本体ケース４の側面の水タンク着脱部１８に、横方向から水タンク部１３の下面を中心に水タンク部１３の上面を回転することにより着脱可能に設けている。水タンク部１３は、本体ケース４に装着した状態において、略箱形状の容器部１５の下部には、着脱自在に設けた蓋部１９を有し、この蓋部１９には弁部を備え、容器部１５の上部には、容器部１５を支える第１の支持部１６と、第２の支持部１７と設けている。ここで、第２の支持部１７は、容器部１５に出没自在に設け、水タンク部１３を本体ケース４から外し容器部１５の蓋部１９を上方にすると、第２の支持部１７が自動的に出現し、この状態で水平面に置くと、第１の支持部１６と第２の支持部１７とによって水タンク部１３が自立する構成とした。
【００２２】
すなわち、第２の支持部１７は、容器部１５に出没自在に設け、水タンク部１３を本体ケース４から外し容器部１５の蓋部１９を上方にすると第２の支持部１７が自動的に出現し、この状態で水平面に置くと、第１の支持部１６と第２の支持部１７とによって水タンク部１３が自立する構成となっている。
【００２３】
つまり、給水時、蓋部１９を上方にすることで、第２の支持部１７が自動的に出現し、この状態で水平面に置くと、水タンク部１３が自立するので、給水時に水タンク部１３を手で支える必要が無くなる。
【００２４】
これらの結果により、給水時の作業性向上ができるものである。
【００２５】
また、第１の支持部１６は、水タンク部１３を水タンク着脱部１８に取り付けると本体ケース４の一部となる構成としたものである。具体的には、第１の支持部１６は、水平断面形状が略Ｌ字形状となる構成としたものである。第１の支持部１６は、水平断面形状が略Ｌ字形状であり、水タンク部１３を水タンク着脱部１８に取り付けた状態において、下面に蓋部１９を有する略箱形状の容器部１５の隣り合う二側面に水平断面形状が略Ｌ字形状の第１の支持部１６を備えたものである。この第１の支持部１６は、容器部１５の二側面を覆うように位置すると共に、容器部１５の上面、つまり蓋部１９に対向した面より突出したものであり、この突出した第１の支持部１６の略Ｌ字形状の端部が、水タンク部１３を本体ケース４から外し容器部１５の蓋部１９を上方にして水平面に置いた場合の接触部２０となる。そして、水タンク部１３を水タンク着脱部１８に取り付けると、この第１の支持部１６は、本体ケース４の二側面と面一、つまり第１の支持部１６の外面と、本体ケース４の隣り合う二側面とが同一面となり、結果として第１の支持部１６は、本体ケース４の一部となるものである。
【００２６】
このように、本体ケース４の一部が第１の支持部１６を兼ねるので、新たに別部品で第１の支持部１６を作る必要が無く、部品点数が減り、商品をコンパクト化することができる。また、水タンク部１３を本体ケース４から外し容器部１５の蓋部１９を上方にして水平面に置いた場合の第１の支持部１６の接触部２０は略Ｌ字形状なので、水タンク部１３がより安定して自立することができる。
【００２７】
なお、第１の支持部は、略平板形状であり、水タンク部１３を水タンク着脱部１８に取り付けた状態において、下面に蓋部１９を有する略箱形状の容器部１５の一側面に略平板形状の第１の支持部を備えたものでもよい。この略平板形状の第１の支持部は、容器部１５の一側面を覆うように位置すると共に、容器部１５の上面、つまり蓋部１９に対向した面より突出したものであり、この突出した第１の支持部の端部が、タンク部を本体ケースから外し容器部１５の蓋部１９を上方にして水平面に置いた場合の接触部となる。そして、水タンク部１３を水タンク着脱部１８に取り付けると、この略平板形状の第１の支持部は、本体ケース４の一側面と面一、つまり第１の支持部の外面と、本体ケース４の一側面とが同一面となり、結果として第１の支持部は、本体ケース４の一部となるものである。
【００２８】
このように、本体ケース４の一部が第１の支持部を兼ねるので、新たに別部品で第１の支持部を作る必要が無く、部品点数が減り、商品をコンパクト化することができる。
【００２９】
また、図５に示すように、第２の支持部１７は、平板部２１と、軸受部２２とから形成し、この軸受部２２は、平板部２１の一端側に設け、水タンク部１３の上部には、軸受部２２に回転自在に嵌る軸部２３を設けたものである。具体的には、第２の支持部１７は、略長方形の平板形状である平板部２１と、円筒形状の軸受部２２とから形成している。平板部２１は略長方形の平板形状で、水タンク部１３を水タンク着脱部１８に取り付けた状態において、この略長方形の面は、水平方向に位置するものである。軸受部２２は、平板部２１の両短辺寄りで、一端側つまり一方の長辺寄りに位置すると共に、水タンク部１３を水タンク着脱部に取り付けた状態において、平板部２１の下面に位置するものである。そして、水タンク部を水タンク着脱部に取り付けた状態において、水タンク部１３の上部には、軸受部２２に回転自在に嵌る円柱形状で外方に延びた２本の軸部２３を備えている。
【００３０】
すなわち、第２の支持部１７の軸受部２２は、略長方形の平板形状である平板部２１の両短辺寄りで、一端側つまり一方の長辺寄りに位置しているので、水タンク部１３を本体ケース４から外し容器部１５の蓋部１９を上方に向けると、第２の支持部１７は自重によって軸受部２２を中心に回転し自動的に出現、つまり、容器部１５の蓋部１９に対向した面より下方向へ突出した状態となる。このように、給水時、蓋部１９を上方にすることで、第２の支持部１７が自動的に出現し、この状態で水平面に置くと、第１の支持部１６と第２の支持部１７とによって水タンク部１３が自立するので、給水時に水タンク部１３を手で支える必要が無くなる。これらの結果により、給水時の作業性向上ができるものである。
【００３１】
また、図６、７に示すように、水タンク部１３を本体ケース４から外し容器部１５の蓋部１９を上方にして水平面に置くと、平板部２１の一端側が、水タンク部１３に設けた当て部２４に当たる構成としたものである。具体的には、略縦長箱形状の容器部１５の蓋部１９に対向した面に、略直方体形状の凸部２５を複数備えている。この容器部１５の水平断面形状は、長方形形状であり、この長方形形状の両短辺寄りに凸部２５が位置するものである。この凸部２５の容器部１５の水平断面形状のおける両短辺側の側面部には、外方に延びた円柱形状の軸部２３を備え、容器部１５の水平断面形状のおける一方側長辺側の側面部には、この一方側長辺側の側面部から内方へ窪んだ窪み部２８を設け、水タンク部１３を本体ケース４から外し容器部１５の蓋部１９を上方にして水平面に置いた状態で、この窪み部２８の上面が当て部２４となる。ここで、容器部１５の蓋部１９を下方にした水タンク部１３を水タンク着脱部１８に取り付けた状態において、これらの軸部２３に回転自在に設けた第２の支持部１７は、凸部２５の上部に位置し、この状態から水タンク部１３を本体ケース４から外し容器部１５の蓋部１９を上方にすると、第２の支持部１７は自重によって軸受部２２を中心に回転し、平板部２１の一方の長辺寄りに位置している一端側の長辺端部が、当て部２４に当たり、第２の支持部１７が回転しなくなる。これにより、第１の支持部１６と第２の支持部１７とによって水タンク部１３が自立するものである。したがって、給水時に水タンク部１３を手で支える必要がないため、作業性を向上できる。また、水タンク部１３を本体ケース４から外し容器部１５の蓋部１９を上方にして水平面に置いた状態で、窪み部２８の上面である当て部２４に、平板部２１の一方の長辺寄りに位置している一端側の長辺端部が当り、平板部２１によって水タンク部１３の自重を支えることとなるので、軸受部２２および軸部２３への負荷を低減することができる。
【００３２】
また、図５に示すように、平板部２１には、重り部２６を設け、この重り部２６は、平板部２１の中央部に位置する構成としたものである。具体的には、重り部２６は、平板部２１の長辺方向の中央部に位置するものである。これにより、水タンク部１３を本体ケース４から外し容器部１５の蓋部１９を上方にすると、第２の支持部１７は、平板部２１、および重り部２６の自重によって軸受部２２を中心に回転し、自動的に出現、つまり、容器部１５の蓋部１９に対向した面より突出した状態となる。このように、給水時、蓋部１９を上方にすることで、第２の支持部が自動的に出現し、この状態で水平面に置くと、水タンク部１３が自立するので、給水時に水タンク部１３を手で支える必要が無くなる。これらの結果により、給水時の作業性向上ができるものである。
【００３３】
また、図５から７に示すように、重り部２６と軸受部２２との距離は、平板部２１の他端側と軸受部２２との距離より大きい構成としたものである。具体的には、第２の支持部１７は、略長方形の平板形状である平板部２１と、円筒形状の軸受部２２と、重り部２６とから形成している。平板部２１は略長方形の平板形状で、水タンク部１３を水タンク着脱部１８に取り付けた状態において、この略長方形の面は、水平方向に位置するものである。この平板部２１の下面には、軸受部２２と重り部２６とを備えている。この軸受部２２は、平板部２１の両短辺寄りで、一端側の長辺寄りに位置し、重り部２６は、平板部２１の長辺方向の中央部で一端側の長辺寄りに平板部２１から垂直方向へ延びた重り支持部２７によって固定されている。この重り支持部２７の長さ、つまり重り部２６と軸受部２２との距離は、平板部２１の他端側と軸受部２２との距離より大きいものである。
【００３４】
すなわち、水タンク部１３を本体ケース４から外し容器部１５の蓋部１９を上方にすると、ここで、まず、第２の支持部１７は、平板部２１の自重によって軸受部２２を中心に回転し、平板部２１の略長方形の面が水平方向から垂直方向になるまで回転し、更に、重り部２６と軸受部２２との距離は、平板部２１の他端側と軸受部２２との距離より大きく、重り部２６の自重による軸受部２２を中心とするモーメントは、平板部２１の自重による軸受部２２を中心とするモーメントより大きいので、重り部２６の軸受部２２を中心とするモーメントによって軸受部２２を中心に回転し、平板部２１の下端部が軸受部２２より外方に位置し、平板部２１の一方の長辺寄りに位置している一端側の長辺端部が、当て部２４に当たるまで回転する。つまり、第２の支持部１７は、平板部２１、および重り部２６の自重によって軸受部２２を中心に回転し、第１の支持部１６と第２の支持部１７とによって水タンク部１３を支える状態に自動的に出現する。なお、平板部を中央部で２つ、つまり第１の平板部と第２の平板部とに分離し、これら第１の平板部と第２の平板部を重り部２６と、２つの重り支持部２７とによって連結する構成にしてもよい。これにより、平板部の自重による軸受部２２を中心とするモーメントが小さくなるので、重り部２６の軸受部２２を中心とするモーメントによって軸受部２２を中心に回転し、平板部２１の一方の長辺寄りに位置している一端側の長辺端部が、当て部２４に当たるまでより容易に回転することができる。
【００３５】
水タンク部１３の軸部２３は、外方に突出し、第２の支持部１７の軸受部２２は、内方に開口すると共に当て部２４は、外方が上がるように傾斜した構成としたものである。
【００３６】
すなわち、当て部２４を傾斜した形状にすることで、水タンク部１３を落とした等で、第２の支持部１７に衝撃が加わった場合、外方に力が働き、第２の支持部１７の軸受部２２が水タンク部１３の軸部２３から外れやすい構成となっている。つまり、第２の支持部１７に衝撃が加わった際に、第２の支持部１７および水タンク部１３が破損することを防止するために、第２の支持部１７が外れる構成となっている。
【００３７】
第２の支持部１７の材質は、ＰＰで構成したものである。
【００３８】
すなわち、水タンク部１３を持ち運びしている時に、満水状態で誤って落下させた場合でも第２の支持部１７の破損を防ぐことができる。
【００３９】
水タンク部１３を本体ケース４に取り付けると、第２の支持部１７は、水タンク着脱部１８の上部に当たることにより、軸受部２２を中心に回転し、元にもどる構成としたものである。
【００４０】
すなわち、水タンク部１３を水タンク着脱部１８に取り付け時に回転する回転軸の方向と、第２の支持部１７の軸部２３の回転軸の方向とが同じで、水タンク部１３を水タンク着脱部１８に取り付け時に回転する回転方向が、第２の支持部１７の軸部２３を中心に回転する回転方向が反対なので、水タンク部１３を本体ケース４に取り付ける時に、第２の支持部１７が仮に元に戻っていない状態、つまり、第２の支持部１７が水タンク部１３を支持する状態で、水タンク部１３の下部である容器部１５の蓋部１９側を水タンク着脱部１８に挿入し、水タンク部１３の上部を回転し装着しても、この回転し装着することにより、第２の支持部１７が本体ケース４側に当り、軸部２３を中心に回転し元の状態に戻るものである。結果として、水タンク部１３を本体ケース４に取り付ける時に、第２の支持部１７が仮に元に戻っていなくても本体ケース４側に当たることで、軸部２３を中心に回転し、必ず元に戻る構成となっており、本体ケースへの取り付けが可能である。
【産業上の利用可能性】
【００４１】
以上のように本発明は、吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部とを備え、この水タンク部は、下面に蓋部を有する略箱形状の容器部と、前記蓋部に設けた前記弁部と、前記容器部を支える第１の支持部と、第２の支持部とから形成し、前記水タンク部は、前記本体ケースの側面の水タンク着脱部に、横方向から前記水タンク部の前記下面を中心に前記水タンク部の上面を回転することにより着脱可能に設け、前記第２の支持部は、前記容器部に出没自在に設け、前記水タンク部を前記本体ケースから外し前記容器部の前記蓋部を上方にして水平面に置くと、前記第２の支持部が自動的に出現し、前記第１の支持部と前記第２の支持部とによって前記水タンク部が自立する構成としたものであり、給水時の作業性向上ができるものである。
【００４２】
すなわち、第２の支持部は、容器部に出没自在に設け、水タンク部を本体ケースから外し容器部の蓋部を上方にして水平面に置くと、第２の支持部が自動的に出現し、第１の支持部と第２の支持部とによって水タンク部が自立する構成となっている。
【００４３】
つまり、給水時、蓋部を上方にすることで、第２の支持部が自動的に出現する。この状態で水平面に置くと、水タンク部が自立するので、給水時に水タンクを手で支える必要が無くなる。
【００４４】
これらの結果により、給水時の作業性向上ができるものである。
【００４５】
従って、家庭用や事務所用などの、加湿装置として活用が期待されるものである。
【符号の説明】
【００４６】
１    加湿機能付空気清浄装置
２    吸気口
３    排気口
４    本体ケース
５    空気清浄手段
６    加湿手段
７    回転手段
８    加湿フィルター部
９    加湿フィルター枠部
１０  給水部
１１  回転軸部
１２  水槽
１３  水タンク部
１４  送風手段
１５  容器部
１６  第１の支持部
１７  第２の支持部
１９  蓋部
１８  水タンク着脱部
２０  接触部
２１  平板部
２２  軸受部
２３  軸部
２４  当て部
２５  凸部
２６  重り部
２７  重り支持部
２８  窪み部
【図１】
0005625593.tif 000002
【図２】
0005625593.tif 000003
【図３】
0005625593.tif 000004
【図４】
0005625593.tif 000005
【図５】
0005625593.tif 000006
【図６】
0005625593.tif 000007
【図７】
0005625593.tif 000008